(57)【要約】【課題】スティックから生じる音を、シンバルの下側に位置するマイクで収音する。【解決手段】シンバルとして、複数の貫通孔を有するシンバル１を用いる。複数の貫通孔を有するシンバル１は、スティック２から生じる音をシンバル１の下側に伝える。このため、マイク５をシンバル１の下側に位置させても、スティック２から生じる音を収音することができる。マイク５をシンバル１の下側に位置させることにより、ハウリングを抑制することができ、マイク５が演奏の邪魔にならなくなり、シンバル１及びマイク５を含むドラムセットの見た目がすっきりするという効果を有する。【選択図】図１
2010072510.tif 000002
【特許請求の範囲】
【請求項１】
複数の貫通孔を有するシンバルと、
上記シンバルを揺動可能に下から支持するスタンドに取り付けられ、上記シンバルへの打撃から生じる音を収音するマイクを所定の位置に所定の方向に向けて固定するマイク固定部材と、
を含み、
上記所定の位置は、上記シンバルよりも低く、上記シンバルの揺動により、上記シンバルと上記マイクとがぶつからない位置であり、
上記所定の方向は、上記シンバルが打撃される領域である、
ことを特徴とするシンバルセット。
【請求項２】
請求項１に記載のシンバルセットにおいて、
上記所定の位置は更に、上記シンバルの鉛直方向下方の位置である、
こと特徴とするシンバルセット。
【請求項３】
請求項１に記載のシンバルセットにおいて、
上記所定の位置は更に、上記シンバルの、演奏者がいる側とは反対側の鉛直方向下方の位置である、
ことを特徴とするシンバルセット。
【請求項４】
請求項１から３の何れかに記載のシンバルセットにおいて、
上記所定の方向は更に、上記シンバルの中心と上記シンバルの外周との中間部である、
ことを特徴とするシンバルセット。
【請求項５】
請求項１から４の何れかに記載のシンバルセットにおいて、
上記マイクから上記所定の方向に伸びる線上に上記スタンドがないように、上記所定の位置及び上記所定の方向が定められている、
ことを特徴とするシンバルセット。
【請求項６】
請求項１から５の何れかに記載のシンバルセットにおいて、
上記マイク固定部材は、上記スタンドに固定される本体部と、上記本体部から伸び先端で上記マイクを固定するアーム部と、を含み、
上記アーム部は、上記所定の方向に伸びる直線を含む鉛直面の垂直方向において上記スタンドの位置とは異なる、本体部の位置から伸びている、
ことを特徴とするシンバルセット。
【請求項７】
複数の貫通孔を有するシンバルを揺動可能に下から支持するスタンドに取り付けられ、上記シンバルへの打撃から生じる音を収音するマイクを所定の位置に所定の方向に向けて固定するマイク固定部材を含み、
上記所定の位置は、上記シンバルよりも低く、上記シンバルの揺動により、上記シンバルと上記マイクとがぶつからない位置であり、
上記所定の方向は、上記シンバルが打撃される領域である、
ことを特徴とするシンバルの収音装置。
【請求項８】
複数の貫通孔を有するシンバルを揺動可能に下から支持するスタンドに取り付けられるマイク固定部材により、上記シンバルへの打撃から生じる音を収音するマイクを所定の位置に固定する位置固定ステップと、
上記マイク固定部材により、上記マイクを所定の方向に向けて固定する方向固定ステップと、
を含み、
上記所定の位置は、上記シンバルよりも低く、上記シンバルの揺動により、上記シンバルと上記マイクとがぶつからない位置であり、
上記所定の方向は、上記シンバルが打撃される領域である、
ことを特徴とするシンバルの収音方法。
【発明の詳細な説明】
【技術分野】
【０００１】
この発明は、シンバルへの打撃から生じる音を収音する技術に関する。
【背景技術】
【０００２】
シンバルへの打撃から生じる音には、シンバル自体から発生する音と、シンバルを打撃したスティックから生じる音の２種類が主にある。そして、シンバルへの打撃から生じる音を収音する際には一般に、これらの２つの音の両方を収音することが望ましい。
【０００３】
ここで、図８に示すように、スティックから生じる音は、シンバルで反射されて、シンバルの上側に広がるが、シンバルの下側には広がらない。このため、従来、シンバルへの打撃から生じる音を収音するマイク５は、シンバルの上側に位置されていた（例えば、非特許文献１参照。）。
【非特許文献１】「リズム＆ドラム・マガジン（Ｒｈｙｔｈｍ  ＆  Ｄｒｕｍｓ  Ｍａｇａｚｉｎｅ）」，株式会社リットーミュージック，２００５年２月１日，Ｐ．８
【発明の開示】
【発明が解決しようとする課題】
【０００４】
マイクをシンバルの上側に位置させると、スピーカーから発生する音等の、シンバルへの打撃により生じる音以外の音を拾いやすく、ハウリングが生じやすい。ハウリングを抑制するためには、マイクをシンバルに近づけて、マイクが収音する音のうちの、シンバルへの打撃から生じる音の割合を増加させるとよいが、マイクを上側からシンバルに近づけると、演奏者が操るスティックがマイクにぶつかりやすくなり、演奏の邪魔になる。
【０００５】
この発明は、この問題に鑑み、演奏の邪魔にならないように、ハウリングを抑制するシンバルセット、シンバルの収音装置及びシンバルの収音方法を提供することを目的とする。
【課題を解決するための手段】
【０００６】
この発明によるシンバルセットは、複数の貫通孔を有するシンバルと、シンバルを揺動可能に下から支持するスタンドに取り付けられ、シンバルへの打撃から生じる音を収音するマイクを所定の位置に所定の方向に向けて固定するマイク固定部材と、を含む。
【０００７】
この発明によるシンバルの収音装置は、複数の貫通孔を有するシンバルを揺動可能に下から支持するスタンドに取り付けられ、シンバルへの打撃から生じる音を収音するマイクを所定の位置に所定の方向に向けて固定するマイク固定部材を含む。
【０００８】
この発明によるシンバルの収音方法は、複数の貫通孔を有するシンバルを揺動可能に下から支持するスタンドに取り付けられるマイク固定部材により、シンバルへの打撃から生じる音を収音するマイクを所定の位置に固定する位置固定ステップと、マイク固定部材により、マイクを所定の方向に向けて固定する方向固定ステップとを含む。
【０００９】
この発明によるシンバルセット、シンバルの収音装置及びシンバルの収音方法のそれぞれにおいて、所定の位置は、シンバルよりも低く、シンバルの揺動により、シンバルとマイクとがぶつからない位置であり、所定の方向は、シンバルが打撃される領域である。
【発明の効果】
【００１０】
複数の貫通孔を有するシンバルは、スティックから生じる音をシンバルの下側に伝える。このため、マイクをこのシンバルよりも低い位置に位置させても、スティックから生じる音を収音することができる。ハウリングを抑制するために、マイクをシンバルよりも低い位置からシンバルに近づけても、演奏者が操るスティックがぶつかることはない。よって、演奏の邪魔にならないように、ハウリングを抑制することができる。
【発明を実施するための最良の形態】
【００１１】
以下、図面を参照して、この発明の実施形態について説明する。対応する部分には同じ符号を付けて重複説明を略する。
【００１２】
シンバル１は、複数の貫通孔１ａを有する。例えば、図１に示すように、シンバル１は、カップ、ボウ及びエッジのそれぞれに、シンバル１の中心を中心とする複数の同心円上に直径２．５ｃｍ−４ｃｍの貫通孔１ａを有する。カップ、ボウ及びエッジの定義については後述する。貫通孔１ａは、スティック２から生じる音をシンバル１の下側に広げる機能を有する。スティック２から生じる音が、シンバル１の下側に十分に広がりさえすれば、貫通孔１ａの形状、数及び位置は問わない。また、貫通孔１ａごとに、形状が異なっていてもよい。例えば、シンバル１として、特許第３６３９１０３号公報に記載された消音シンバルを用いることができる。また、シンバル１は、その中央部に支持孔を有する。支持孔は、シンバル１をスタンド３に取り付けるために用いられる。
【００１３】
スティック２（図２−図６参照。）は、木のスティックに限らず、ブラシ及びマレット等の任意のスティックであってもよい。
【００１４】
スタンド３は、シンバル１を揺動可能に下から支持する。必要に応じて、シンバル１とスタンド３との間に、シンバル１の振動を電気信号に変換する振動ピックアップを設けても良い。
【００１５】
スタンド３に、シンバル１への打撃により生じる音を収音するマイクを所定の位置に所定の方向に向けて固定するマイク固定部材４を取り付ける。例えば、マイク固定部材４は、スタンド３に固定される本体部４ａと、本体部４ａから所定の方向に伸び先端でマイク５を固定するアーム部４ｂとから少なくとも構成される。
【００１６】
本体部４ａとスタンド３との間に、スポンジ等の防振材を設けてもよい。シンバル１への打撃により生じる衝撃が、スタンド３に伝わり、スタンド３が振動し得る。防振材は、このスタンド３の振動がマイク固定部材４ひいてはマイク５に伝わるのを防止する。
【００１７】
図１の例では、筒状の本体部４ａにスタンド３を挿入することにより、本体部４ａをスタンド３に固定しているが、本体部４ａを二部品で構成して、これらの二部品でスタンド３を挟むことにより、本体部４ａをスタンド３に固定してもよい。また、図１の例では、本体部４ａは、アーム部４ｂを回動自在に支持している。
【００１８】
アーム部４ｂは、その先端でマイク５を回動自在に支持しており、マイク５を所定の方向に向けて固定することが可能である。アーム部４ｂは、マイク５の水平方向の角度θｈ（図５参照）と鉛直方向の角度θｖ（図２参照）の一方又は両方が調整可能である。マイク５の方向とは、マイク５の指向性の方向である。換言すれば、マイク５の方向とは、マイク５の感度が最も高い方向のことである。マイク５を所定の方向に向けるとは、マイク５の指向性の方向をその所定の方向に向けることを意味する。
【００１９】
マイク５は、シンバル１から生じる音及びスティック２から生じる音の両方を収音して、電気信号に変換して、図示していないミキサー等に出力する。必要に応じて、風切り音を低減するために、スポンジ等でマイク５を覆ってもよい。シンバル１への打撃により生じる衝撃がスタンド３に伝わることにより、スタンド３が振動して低音を発生することもある。この低音を低減又は除去するために、低音除去フィルタ等の低音を低減又は除去する手段をマイク５に設けてもよい。
【００２０】
図２−図６を参照して、マイク５の位置及びマイク５の方向について説明する。図２−図６は、マイク５の位置及び方向を示すことを目的としており、シンバル１、マイク固定部材４及びマイク５等の構造を簡略化して記載している点に注意する。例えば、図２−図６では、シンバル１に形成された貫通孔１ａを記載していない。しかし、図２−図６のシンバル１は、図１に示すシンバル１と同様の貫通孔を有する。
【００２１】
マイク５の位置は、シンバル１の揺動により、シンバル１とマイク５とがぶつからない位置である必要がある。例えば、図２に示すように、シンバル１の中心Ｃを中心としてシンバル１を４５°傾けても、シンバル１とマイク５とがぶつからない位置にマイク５は位置される。
【００２２】
また、マイク５は、シンバル１の、演奏者６がいる側とは反対側の鉛直方向下方に位置される。ここで、シンバル１の演奏者６がいる側とは、シンバル１から演奏者６に向かう方向に対する垂直面であってシンバル１の中心を含む面でシンバル１を二分割した場合の、演奏者６に近い方の分割された片のことである。シンバル１の、演奏者６がいる側とは反対側とは、同様にシンバル１を二分割した場合の、演奏者６から遠い方の分割された片のことである。
【００２３】
マイク５が向けられる方向は、シンバル１が打撃される領域Ｒである。シンバル１が打撃される領域Ｒとは、シンバル１の位置、演奏者６の座席の位置、演奏者６の体格及びスティック２の長さ等に基づいて予想される、スティック２により打撃される可能性が高い、シンバル１の領域のことである。
【００２４】
なお、シンバル１が打撃される領域Ｒの中でも、シンバル１の中心Ｃと、シンバルの外周との中間部に、マイク５を向けるとよい。これにより、シンバル１のカップ、エッジ及びボウのそれぞれへの打撃により生じる音を、バランス良く収音することが可能となるためである。カップとはシンバル１の中心部の盛り上がった部分であり、エッジとはシンバル１の外周部であり、ボウとはそれ以外の部分のことである。
【００２５】
複数の貫通孔を有するシンバル１は、スティック２から生じる音をシンバル１の下側に伝える。このため、マイク５をシンバル１よりも低い位置に位置させても、スティック２から生じる音を収音することができる。ハウリングを抑制するために、マイク５をシンバル１よりも低い位置からシンバル１に近づけても、演奏者６が操るスティック２がぶつかることはない。よって、演奏の邪魔にならないように、ハウリングを抑制することができる。
【００２６】
図２等に示すように、シンバル１の鉛直方向下方にマイク５を位置させることにより、マイク５がシンバル１に覆われるため、シンバル１への打撃から生じる音以外の音をマイク５がより収音しづらくなるため、ハウリングをより抑制することができる。また、この場合、マイク５がシンバル１に隠れるため、マイク５が従来よりも目に付かなくなり、シンバル１及びシンバル１を含むドラムセット等の外見がよりすっきりする。
【００２７】
マイク５を、シンバル１の、演奏者６がいる側とは反対側の鉛直方向下方に位置させて、その位置からマイク５をシンバル１が打撃される領域Ｒに向けることにより、少なくとも次の三つの効果がある。
【００２８】
第一の効果は、シンバル１から生じる音と、スティック２から生じる音とのバランスが良くなるというものである。もし、図３の一点鎖線で示した位置、すなわちシンバル１が打撃される領域Ｒの真下であってシンバル１に近い位置にマイク５を位置させると、スティック２から生じる音が大きくなり過ぎる。また、もし、図３の二点鎖線で示した位置、すなわちシンバル１が打撃される領域Ｒの真下であってシンバル１から遠い位置にマイク５を位置させると、スティック２から生じる音は小さくなるが、シンバル１からの距離が離れるため、シンバル１への打撃から生じる音以外の音をマイク５が拾うようになりハウリングしやすくなる。マイク５を、シンバル１の、演奏者６がいる側とは反対側の鉛直方向下方に位置させて、その位置からマイク５をシンバル１が打撃される領域Ｒに向けることにより、シンバル１との距離を近い状態に保ったまま、シンバル１が打撃される領域Ｒとの距離を離すことができ、シンバル１から生じる音とスティック２から生じる音とのバランスが良くしながら、ハウリングを抑制することができるのである。
【００２９】
第二の効果は、マイク固定部材４及びマイク５が、演奏者６の足にぶつからないため、演奏の邪魔にはならないというものである。また、マイク５を固定するために独立したスタンドを要さないため、周辺にシンバル１以外の打楽器等を配置する際、配置の自由度が増す。
【００３０】
第三の効果は、シンバル１の揺れに伴う音ゆれを低減することができるというものである。もし、図４の一点鎖線で示した位置、すなわちシンバル１が打撃される領域Ｒの真下の位置にマイク５を位置させると、シンバル１が揺れたときにシンバル１とマイク５の距離の変動が大きい。演奏者６がいる側とは反対側の鉛直方向下方に位置させて、その位置からマイク５をシンバル１が打撃される領域Ｒに向けることにより、シンバル１が揺れたときにシンバル１とマイク５の距離の変動を小さくすることができ、これによりシンバル１の揺れに伴う音ゆれを気にならない程度に十分に低減することができるのである。
【００３１】
シンバル１への打撃により生じた衝撃がスタンド３に伝わることにより、スタンド３が振動して低音を発生することもある。マイク５がこの低音を収音しないようにするために、例えば図５，図６に示すように、マイク５から、マイク５が向けられる所定の方向に伸びる線上にスタンド３がないように、マイク５の位置及び方向を定めてもよい。図５，図６は、マイク５の位置及び方向を説明するための底面図であり、理解を容易にするために、スタンド３の脚部を省略して記載している。
【００３２】
図５の例では、アーム部４ｂの延伸方向を水平面に正射影した方向を、シンバル１の中心Ｃからシンバルが打撃される領域Ｒへ向かう方向を水平面に正射影した方向に対して非平行になるように、アーム部４ｂの延伸方向を定めると共に、マイク５の水平方向の角度θｈを調整することにより、マイク５から、マイク５が向けられる所定の方向に伸びる線上にスタンド３がないようにしている。
【００３３】
図６の例では、本体部４ａの、マイク５が向けられる所定の方向に伸びる直線を含む鉛直面の垂直方向において上記スタンド３の位置とは異なる、本体部４ａの位置から、アーム部４ｂを伸ばすことにより、マイク５から、マイク５が向けられる所定の方向に伸びる線上にスタンド３がないようにしている。具体的には、マイク５が向けられる所定の方向に伸びる直線を含む鉛直面の垂直方向において、スタンド３の中心から距離Ｌだけ離れた、本体部４ａの位置から、アーム部４ｂが伸びている。図６に対応する斜視図を図７に示す。
【００３４】
この発明によるシンバルセットは、シンバル１とマイク固定部材４とを含む。この発明によるシンバルの収音装置は、マイク固定部材を含む。
【００３５】
次に、シンバルの収音方法について説明する。シンバルの収音方法は、位置固定ステップと方向固定ステップとを含む。マイク５の所定の位置、マイク５が向けられる所定の方向については、上記と同様である。
【００３６】
まず、マイク５を所定の位置で固定する（位置固定ステップ）。そのために、図１のように本体部４ａに対するアーム部４ｂの延伸方向が可変である場合には、スタンド３に対するマイク固定部材４の取付位置並びに取付角度及びアーム部４ｂの延伸方向を調整することにより、マイク５を所定の位置に位置させて、固定する。本体部４ａに対するアーム部４ｂの延伸方向が可変ではない場合には、スタンド３に対するマイク固定部材４の取付位置及び取付角度を調整することにより、マイク５を所定の位置に位置させて、固定する。
【００３７】
次に、マイク５を所定の方向に向けて固定する（方向固定ステップ）。アーム部４ｂは、マイク５の水平方向の角度θｈと鉛直方向の角度θｖの一方又は両方が調整可能である。これらの角度θｈ，θｖの少なくとも一方を調整した後に、マイク５をアーム部４ｂに固定する。
【００３８】
この発明の趣旨を逸脱しない範囲で、上記説明した実施形態を適宜変更が可能であることはいうまでもない。
【図面の簡単な説明】
【００３９】
【図１】シンバルセットの例の斜視図。
【図２】マイクの位置及び方向を説明するための概略側面図。
【図３】マイクの位置及び方向を説明するための概略側面図。
【図４】マイクの位置及び方向を説明するための概略側面図。
【図５】マイクの位置及び方向を説明するための概略底面図。
【図６】マイクの位置及び方向を説明するための概略底面図。
【図７】図６に対応する斜視図。
【図８】従来技術によるマイク５の位置を説明するための図。
【符号の説明】
【００４０】
１     シンバル
１ａ   貫通孔
２     スティック
３     スタンド
４     マイク固定部材
４ａ   本体部
４ｂ   アーム部
５     マイク
６     演奏者
【図１】
2010072510.tif 000003
【図２】
2010072510.tif 000004
【図３】
2010072510.tif 000005
【図４】
2010072510.tif 000006
【図５】
2010072510.tif 000007
【図６】
2010072510.tif 000008
【図７】
2010072510.tif 000009
【図８】
2010072510.tif 000010